(57)【要約】【課題】前面部を遮蔽する扉を備えると共に、火災予防条例に抵触しないキッチンユニットを提供する。【解決手段】前面部１６が開放された箱形に形成され、該前面部１６を遮蔽できる開閉自在な扉１７と該扉１７を収納する扉収納部２２とを備え、前面部１６の内部に少なくとも給排水設備及び電気式の加熱調理器具を備えるキッチンユニット１１であって、該キッチンユニット１１内には、電源から加熱調理器具に電気を供給する配線が成され、扉１７あるいは扉収納部２２には、扉１７を扉収納部２２に収納した時に加熱調理器具へ電気を供給できて、扉１７を扉収納部２２から引き出した時に加熱調理器具への電気の供給を遮断する安全装置３３が設けられている。【選択図】図２
0003162284.tif 000002
【実用新案登録請求の範囲】
【請求項１】
前面部が開放された箱形に形成され、該前面部を遮蔽できる開閉自在な扉と該扉を収納する扉収納部とを備え、前記前面部の内部に少なくとも給排水設備及び電気式の加熱調理器具を備えるキッチンユニットであって、
該キッチンユニット内には、電源から前記加熱調理器具に電気を供給する配線が成され、
前記扉あるいは前記扉収納部には、前記扉を前記扉収納部に収納した時に前記加熱調理器具へ電気を供給できて、前記扉を前記扉収納部から引き出した時に前記加熱調理器具への電気の供給を遮断する安全装置が設けられていること
を特徴とするキッチンユニット。
【請求項２】
前記安全装置は、前記扉収納部に設置するスイッチ本体と、前記扉に設置するマグネット素子とから構成される磁気近接スイッチであること
を特徴とする請求項１に記載のキッチンユニット。
【考案の詳細な説明】
【技術分野】
【０００１】
本考案は、キッチンユニットに関するものであり、更に詳しくは、キッチンの前面部を遮蔽できる扉を備えたキッチンユニットに関するものである。
【背景技術】
【０００２】
従来のキッチンユニットとしては、次のような構成のものが知られている。このキッチンユニットは、所定の区画内に流し台、レンジ、レンジフード、オーブン、収納部、照明器具等の厨房設備類が体系的に配置されて、前面部が開放された構成である（特許文献１、２、３参照）。
【０００３】
このような構成のキッチンユニットは、一般に室内の壁部等に沿って設置され、ダイニングルームに併設されて、ダイニングキッチンとして設けられる場合が多い。
【先行技術文献】
【特許文献】
【０００４】
【特許文献１】特開平８−２２８８５６号公報
【特許文献２】特開２００７−１９５５６８号公報
【特許文献３】特開２００３−２１０２６３号公報
【考案の概要】
【考案が解決しようとする課題】
【０００５】
この従来例のキッチンユニットにおいては、前面部が開放されているので、例えば、流し台に積み重ねた使用済みの食器類や、レンジに置かれた鍋類や、棚の中の収納物が丸見えの状態であり、室内装飾的に決して見映えの良いものではないという問題点を有している。
【０００６】
一方、キッチンユニットに扉を設けて、この扉で前面部を遮蔽できる仕組みを備えれば、上述の問題点は解消されて装飾性が向上することとなるが、しかしながら、火災予防条例では、防火上の観点から加熱可能な状態の加熱機器を扉で遮蔽することは認めていない。
【０００７】
従って、従来例におけるキッチンユニットにおいては、不使用時にキッチンユニットの前面部を遮蔽できて内部が人の目に触れないようにすると共に、インテリア的に優れたものにすることと、火災予防条例に抵触しないこととに解決しなければならない課題を有している。
【課題を解決するための手段】
【０００８】
前記従来例の課題を解決するための本考案の要旨は、前面部が開放された箱形に形成され、該前面部を遮蔽できる開閉自在な扉と該扉を収納する扉収納部とを備え、前記前面部の内部に少なくとも給排水設備及び電気式の加熱調理器具を備えるキッチンユニットであって、該キッチンユニット内には、電源から前記加熱調理器具に電気を供給する配線が成され、前記扉あるいは前記扉収納部には、前記扉を前記扉収納部に収納した時に前記加熱調理器具へ電気を供給できて、前記扉を前記扉収納部から引き出した時に前記加熱調理器具への電気の供給を遮断する安全装置が設けられていることである。
【０００９】
また、前記安全装置は、前記扉収納部に設置するスイッチ本体と、前記扉に設置するマグネット素子とから構成される磁気近接スイッチであること、；
を含むものである。
【考案の効果】
【００１０】
本考案に係るキッチンユニットによれば、前面部を遮蔽できる扉を備えるので、内部が人の目に触れないようにできることとなり、装飾性が向上する。
更に、扉を扉収納部に収納した時に加熱調理器具へ電気を供給できて、扉を扉収納部から引き出した時に加熱調理器具への電気の供給を遮断する安全装置が設けられるので、防火上安全であると共に、火災予防条例に抵触しないキッチンユニットを提供できるという種々の優れた効果を奏する。
【００１１】
また、安全装置は、扉収納部に設置するスイッチ本体と、扉に設置するマグネット素子とから構成される磁気近接スイッチであることによって、扉を扉収納部に収納した時にはスイッチ本体とマグネット素子とが近接して加熱調理器具へ電気を供給できるように構成される。また、扉を扉収納部から引き出した時にはスイッチ本体とマグネット素子とが離隔して加熱調理器具への電気の供給を遮断するように構成される。従って、電気の供給をＯＮ／ＯＦＦする操作が確実に行えるという優れた効果を奏する。
【図面の簡単な説明】
【００１２】
【図１】本考案に係るキッチンユニット１１の正面図である。
【図２】本考案に係るキッチンユニット１１の平面を示す説明図である。
【図３】扉１７を扉収納部２２から引き出した状態の平面を示す説明図である。
【図４】扉１７を閉めた状態の平面を示す説明図である。
【図５】扉１７を閉めた状態を示す正面図である。
【図６】下部レール部材２９と下部ローラ部材３１とを示す説明図である。
【図７】磁気近接スイッチ３３が設けられた要部を拡大して示す平面図である。
【図８】本考案に係るキッチンユニット１１の動作回路図である。
【考案を実施するための形態】
【００１３】
次に、本考案の実施の形態について図面を参照しながら説明する。まず、図１及び図２において、符号１１はキッチンユニットを示し、このキッチンユニット１１は、天板部１２と、底板部１３と、両側面部１４ａ、１４ｂと、背面部１５とを有して箱形に形成され、前面部１６が開放されており、この前面部１６を遮蔽できる開閉自在な両開き式の扉１７、１７を備えた構成である。
【００１４】
キッチンユニット１１には、流し台１８等の給排水設備が設けられている。また、電磁調理器１９、電気オーブン２０、あるいは電子レンジ等の電気式の加熱調理器具が設けられている。更に、調理用具等を収納する収納部２１が設けられている。このようにキッチンユニット１１には、種々の厨房設備類が体系的に配置されている。
【００１５】
キッチンユニット１１の両端部には、扉収納部２２、２２が設けられている。この扉収納部２２は、前面部１６側に収納口２６を備えており、前面部１６の開放時に扉１７を分割して重なった状態で収納できるように構成されている。
【００１６】
扉１７は、図３に示すように、第１扉部２３と、この第１扉部２３とヒンジ部２４で連結した連結部２５と、この連結部２５とヒンジ部２４で連結した第２扉部２７とから構成される。また、連結部２５には、把手３２が設けられている。
【００１７】
前面部１６の上部に沿った位置には、図１に示すように、上部レール部材２８が設けられている。また、前面部１６の下部に沿った位置には、下部レール部材２９が設けられている。
【００１８】
扉１７の上部には、上部レール部材２８を移動する上部ローラ部材（図示せず）が設けられている。また、扉１７の下部には、図６に示すように、下部レール部材２９を移動する下部ローラ部材３１が設けられている。この上部ローラ部材及び下部ローラ部材３１を、上部レール部材２８及び下部レール部材２９に沿って回動させることで、扉１７を開閉方向に移動できる。
【００１９】
このように構成される扉１７の扉収納部２２への収納時は、図２に示すように、第１扉部２３と第２扉部２７とが扉収納部２２の中に重なった状態で位置し、連結部２５は収納口２６に沿って位置して、当該収納口２６の蓋部の役目を成す。
【００２０】
また、扉１７を扉収納部２２から引き出す場合は、先ず把手３２を持って連結部２５を所定長さ引き出してから（図７参照）、図３に示すように、第１扉部２３と第２扉部２７とを一緒に引き出す。
【００２１】
次に、第１扉部２３を上部レール部材２８及び下部レール部材２９に沿わせて閉方向に移動し、更に、連結部２５と第２扉部２７とを上部レール部材２８及び下部レール部材２９に沿わせて閉方向に移動することで、キッチンユニット１１の前面部１６を扉１７で遮蔽することとができる（図４、図５参照）。
なお、各図においては、一方の扉１７を引出し、あるいは遮蔽した状態を示しているが、他方の扉１７もこれと同様に引出して、前面部１６を全面的に遮蔽できることは言うまでもない。
【００２２】
キッチンユニット１１には、電源から加熱調理器具に電気を供給する配線が成されており、また、所要の位置には、制御盤が設置されて、その内部には電磁接触器、漏電ブレーカー、及び通電ランプが設けられており、更には、火災警報器、１００Ｖコンセント等が設けられている（何れも図示せず）。
【００２３】
扉収納部２２あるいは扉１７には、当該扉１７を扉収納部２２に収納した時に加熱調理器具へ電気を供給できて、扉１７を扉収納部２２から引き出した時に加熱調理器具への電気の供給を遮断する磁気近接スイッチ（安全装置）３３が設けられている。
【００２４】
この磁気近接スイッチ３３は、スイッチ本体３３ａとマグネット素子３３ｂとから構成され、図７に示すように、スイッチ本体３３ａが扉収納部２２の上部に取り付けられており、マグネット素子３３ｂが連結部２５（扉１７）の上部に取り付けられている。
【００２５】
このように設置される磁気近接スイッチ３３は、図２に示すように、扉１７を扉収納部２２に収納した時には、スイッチ本体３３ａとマグネット素子３３ｂとが近接状態に位置するよう構成されている。
【００２６】
この状態の磁気近接スイッチ３３からの電気信号は、図８の動作回路図に示すように、電磁接触器３４に送られて、当該電磁接触器３４が機器接続部３５への電気の供給をＯＮ状態にすると共に、１００Ｖコンセント３６への電気の供給をＯＮ状態にするので、加熱調理器具類の使用が可能になる。
【００２７】
また、扉１７を扉収納部２２から引き出す場合は、上述のように、先ず把手３２を持って連結部２５を所定長さ引き出すが（図７参照）、この状態の時にスイッチ本体３３ａとマグネット素子３３ｂとが離隔状態になる。
【００２８】
この離隔状態の磁気近接スイッチ３３からの電気信号は、図８の動作回路図に示すように、電磁接触器３４に送られて、当該電磁接触器３４が機器接続部３５への電気の供給をＯＦＦ状態にすると共に、１００Ｖコンセント３６への電気の供給をＯＦＦ状態にするので、加熱調理器具類の使用が不可能になる。
【００２９】
なお、図８中の符号３７は、機器接続部３５への通電時に発光する通電ランプを示し、符号３８は２００Ｖ商用電源を示し、符号３９は漏電ブレーカーを示し、符号４０は１００Ｖ商用電源を示す。
【００３０】
以上のように構成されるキッチンユニット１１は、前面部１６を全面的に遮蔽できる扉１７を備えるので、内部が人の目に触れないようにできる。
また、扉１７を扉収納部２２に収納した時に加熱調理器具へ電気を供給できて、扉１７を扉収納部２２から引き出した時に加熱調理器具への電気の供給を遮断する磁気近接スイッチ（安全装置）３３を備えるので、防火上安全であると共に、火災予防条例に抵触しない。
【産業上の利用可能性】
【００３１】
本発明のキッチンユニット１１は、安全装置について磁気近接スイッチ３３を用いるが、必ずしも磁気近接スイッチ３３に限定されるものではなく、例えば、リミットスイッチや光電管スイッチ等のように、磁気近接スイッチ３３と同様な作用効果を有する部材を安全装置として使用しても良いことは勿論である。
【符号の説明】
【００３２】
１１  キッチンユニット
１２  天板部
１３  底板部
１４ａ、１４ｂ  側面部
１５  背面部
１６  前面部
１７  扉
１８  流し台
１９  電磁調理器
２０  電気オーブン
２１  収納部
２２  扉収納部
２３  第１扉部
２４  ヒンジ部
２５  連結部
２６  収納口
２７  第２扉部
２８  上部レール部材
２９  下部レール部材
３１  下部ローラ部材
３２  把手
３３  磁気近接スイッチ（安全装置）
３３ａ  スイッチ本体
３３ｂ  マグネット素子
３４  電磁接触器
３５  機器接続部
３６  １００Ｖコンセント
３７  通電ランプ
３８  ２００Ｖ商用電源
３９  漏電ブレーカー
４０  １００Ｖ商用電源
【図１】
0003162284.tif 000003
【図２】
0003162284.tif 000004
【図３】
0003162284.tif 000005
【図４】
0003162284.tif 000006
【図５】
0003162284.tif 000007
【図６】
0003162284.tif 000008
【図７】
0003162284.tif 000009
【図８】
0003162284.tif 000010